(57)【要約】【課題】コントローラに接続されＰＷＭ信号が入力されるインターフェースが１つであって、調光と調色を個別に実行可能とする点灯装置を提供する。【解決手段】本発明は、第一の光源に供給する電流を調整する第一の点灯制御回路と、この第一の光源と異なる色温度で点灯する第二の光源に供給する電流を調整する第二の点灯制御回路と、外部からパルス信号を入力する1つのインターフェースと、連続調光モードと色可変モードを有するとともに、この動作モードに応じて第一の点灯制御回路を制御する第一の点灯信号及び第二の点灯制御回路を制御する第二の点灯制御信号とを出力する制御回路を備えることを特徴とする。【選択図】  図１
2015032451.tif 000002
【特許請求の範囲】
【請求項１】
外部電源から供給される電流に応じて点灯する第一の光源と前記第一の光源と異なる色温度で点灯する第二の光源とを点灯させる点灯回路において、
外部からパルス信号を入力する１つのインターフェースと、
前記インターフェースから入力されたパルス信号の変化量に応じて、
第一の光源に供給される電流を調整するための第一点灯制御信号と第二の光源に供給される電流を調整するための第二点灯制御信号とを生成する制御回路と、
前記第一の点灯制御信号に基づいて、前記第一の光源に供給する電流を調整する第一の点灯制御回路と、
前記第二の点灯制御信号に基づいて、前記第二の光源に供給する電流を調整する第二の点灯制御回路と、
を備え、
前記制御回路は、
前記第一の光源と前記第二の光源に供給される電流の変化量が等しくなるように前記第一点灯制御信号及び第二点灯制御信号を生成する第一の動作モードと、
前記第一の光源と前記第二の光源に供給される電流の変化量が異なるように第一の点灯制御信号及び第二の点灯制御信号を生成する第二の動作モードとを有し、
前記外部電源と接続される電源スイッチがオンである場合に、該電源スイッチがオフとされてからオンとされるまでの停止時間間隔と、該電源スイッチがオフとされ、再度オンとされる回数とに応じて前記第一の動作モードと前記第二の動作モードとを切り替えることを特徴とする点灯装置。
【請求項２】
前記制御回路は、前記停止時間間隔を計測するタイマーと、
前記停止時間間隔が閾値以下となった回数をカウントするカウンタと、
を備え、
前記カウンターの値が閾値以上となった場合に動作モードを切り替えることを特徴とする請求項１に記載の点灯装置。
【請求項３】
前記制御回路は、前記動作モードの切り替えが終了する際に前記第一の点灯制御信号と前記第二の点灯制御信号とに対応する前記パルス信号のオンデューティー比を記憶するメモリを備えることを特徴とする請求項１又は請求項２に記載の制御回路。
【発明の詳細な説明】
【技術分野】
【０００１】
本発明は、連続調光機能と色可変機能を有する点灯装置に関するものである。
【背景技術】
【０００２】
従来の点灯装置は、連続調光用のＰＷＭ（Ｐｕｌｓｅ  Ｗｉｄｔｈ  Ｍｏｄｕｌａｔｉｏｎ）信号と調色用のＰＷＭ信号とを入力するインターフェースをそれぞれ備える。したがって、ユーザーはインターフェースごとに接続された連続調光用コントローラと、調色用コントローラを操作することによって、点灯装置に入力されるＰＷＭ信号を変化させ、点灯装置内の光源の調光及び調色を行っていた（例えば、特許文献１。）。
【先行技術文献】
【特許文献】
【０００３】
【特許文献１】特開２０１１−２５８５１５号公報
【発明の概要】
【発明が解決しようとする課題】
【０００４】
しかし、特許文献１に開示された点灯装置は、調光用コントローラと調色用コントローラが必要であり、コストがかかるという問題があった。
【０００５】
また、調光用コントローラと調色用コントローラをまとめて１つのコントローラとすると、調光と調色を同時に実行することとなり、調光又は調色の片方のみを実行させることができなかった。
【０００６】
本発明に係る点灯装置は、上記課題を解決するため、コントローラに接続されＰＷＭ信号が入力されるインターフェースが１つであって、調光と調色を個別に実行可能とすることを目的とする。
【課題を解決するための手段】
【０００７】
本発明の点灯装置は、外部電源から供給される電流に応じて点灯する第一の光源と前記第一の光源と異なる色温度で点灯する第二の光源とを点灯させる点灯回路において、外部からパルス信号を入力する１つのインターフェースと、前記インターフェースから入力されたパルス信号の変化量に応じて、第一の光源に供給される電流を調整するための第一点灯制御信号と第二の光源に供給される電流を調整するための第二点灯制御信号とを生成する制御回路と、前記第一の点灯制御信号に基づいて、前記第一の光源に供給する電流を調整する第一の点灯制御回路と、前記第二の点灯制御信号に基づいて、前記第二の光源に供給する電流を調整する第二の点灯制御回路と、を備え、前記制御回路は、前記第一の光源と前記第二の光源に供給される電流の変化量が等しくなるように前記第一点灯制御信号及び第二点灯制御信号を生成する第一の動作モードと、前記第一の光源と前記第二の光源に供給される電流の変化量が異なるように第一の点灯制御信号及び第二の点灯制御信号を生成する第二の動作モードとを有し、前記外部電源と接続される電源スイッチがオンである場合に、該電源スイッチがオフとされてからオンとされるまでの停止時間間隔と、該電源スイッチがオフとされ、再度オンとされる回数とに応じて前記第一の動作モードと前記第二の動作モードとを切り替えることを特徴とする。
【発明の効果】
【０００８】
本発明に係る点灯装置は、電源スイッチのオフ／オンの回数及びオフからオンまでの時間間隔に基づいて、連続調光モードと調色モードを切り替えるように構成されるので、ＰＷＭ信号のインターフェースを複数設けることなく調光と調色を個別に実行することができる。
【図面の簡単な説明】
【０００９】
【図１】実施の形態１に係る点灯装置の構成図。
【図２】オンデューティー比を説明する図。
【図３】実施の形態１の点灯装置の動作フローチャート。
【図４】実施の形態１に係る点灯装置における連続調光モード時の光出力とＰＷＭ信号との関係を示す図。
【図５】実施の形態１に係る点灯装置における調光の例。
【図６】実施の形態１に係る点灯装置における色可変モード時の光出力とＰＷＭ信号との関係を示す図。
【図７】実施の形態１に係る点灯装置における調色の例。
【図８】実施の形態１に係る制御回路の動作モード切替時の動作フローチャート。
【図９】実施の形態１に係る制御回路の連続調光モード時の動作フローチャート。
【図１０】実施の形態１に係る制御回路の色可変モード時の動作フローチャート。
【発明を実施するための形態】
【００１０】
実施の形態１
以下、図１を用いて実施の形態１に係る点灯装置の構成を説明する。
【００１１】
実施の形態１に係る点灯装置１は、ダイオードブリッジ１１と、昇圧チョッパ回路１２と、制御電源回路１５と、ＡＣ検出回路１４と、ＰＷＭ信号変換回路１６と、制御回路１７と、点灯回路１３ａ、１３ｂとを備える。また、点灯装置１は、ユーザーの操作により電源スイッチ５がオンの時に、交流電源（外部電源（ＡＣ））２から電力が供給され、光源モジュール４ａ（第一の光源）、光源モジュール４ｂ（第二の光源）を点灯させる。また、点灯装置１は、コントローラ３から出力されたＰＷＭ信号（パルス信号）がインターフェース１８から入力され、このＰＷＭ信号に基づいて、光源モジュール４ａ、４ｂに供給される電流を調整することで、調光又は調色する。ＰＷＭ信号とは、オン／オフを繰り返す電気信号のことである。調光とは、光源ユニット４全体の光出力（調光度）を調節することである。調色とは、光源ユニット４全体が発する光の色温度（光色）を調節することである。
【００１２】
ダイオードブリッジ１１は、交流電源２から入力された交流電流を直流電流に整流する回路である。
【００１３】
昇圧チョッパ回路１２は、ダイオードブリッジ（ＤＢ）１１から出力される直流電流の電圧を昇圧する回路である。昇圧チョッパ回路１２は、抵抗Ｒ１、Ｒ２、Ｒｓ、インダクタＬ１、ダイオードＤ１、ＭＯＳ−ＦＥＴＱ１、電解コンデンサＣ１、ＰＦＣ制御回路１２１を備える。抵抗Ｒ１、Ｒ２はダイオードブリッジ１１が出力する出力電圧の電圧波形を検出する。インダクタＬ１は、ダイオードブリッジ１１の出力電圧を磁気エネルギーとして貯留する。ダイオードＤ１は、昇圧した出力電圧が逆流しないように設けられる。ＭＯＳ−ＦＥＴＱ１は、オン／オフによってインダクタＬ１の充放電を制御する。電解コンデンサＣ１は出力電圧を平滑化する。ＰＦＣ制御回路１２１は、ＭＯＳ−ＦＥＴＱ１のオン／オフを制御する。抵抗Ｒｓは、ＭＯＳ−ＦＥＴＱ１に流れる電流を検出する。
【００１４】
点灯回路１３ａは、制御回路１７から出力される第一点灯制御信号に基づいて、光源モジュール４ａに供給する電流を調整する。ここで、第一点灯制御信号とは、制御回路１７から出力される信号で、光源モジュール４ａの光出力を表す信号である。点灯回路１３ａは、インダクタＬ２ａ、ＭＯＳ−ＦＥＴＱ２ａ、点灯制御回路１３１ａ、電解コンデンサＣ２ａ、抵抗Ｒ５ａ、ダイオードＤ２ａを備える。抵抗Ｒ５ａは、光源モジュール４ａに流れる電流を検出する。ＭＯＳ−ＦＥＴＱ２ａは、オン／オフによってインダクタＬ２ａ及びコンデンサＣ２ａの充放電を制御する。インダクタＬ２ａ及び電解コンデンサＣ２ａは、ＭＯＳ−ＦＥＴＱ２ａの出力に接続され、出力電圧を出力するとともに、降圧して平滑化する。点灯制御回路１３１ａは、第一点灯制御信号を制御回路１７から受けて、ＭＯＳ−ＦＥＴＱ２ａのオン／オフを制御する。ダイオードＤ２ａは、ＭＯＳ−ＦＥＴＱ２ａのオフ時、インダクタＬ２ａが電流を保とうとして発生する起電力に応じた電流を流すためのものである。
【００１５】
点灯回路１３ｂは、制御回路１７から出力される第二点灯制御信号に基づいて、光源モジュール４ｂに供給する電流を調整する。ここで、第二点灯制御信号とは、制御回路１７から出力される信号で、光源モジュール４ｂの光出力を表す信号である。点灯回路１３ｂは、インダクタＬ２ｂ、ＭＯＳ−ＦＥＴＱ２ｂ、点灯制御回路１３１ｂ、電解コンデンサＣ２ｂ、抵抗Ｒ５ｂ、ダイオードＤ２ｂを備える。抵抗Ｒ５ｂは、光源モジュール４ｂに流れる電流を検出する。ＭＯＳ−ＦＥＴＱ２ｂは、オン／オフによってインダクタＬ２ｂ及びコンデンサＣ２ｂの充放電を制御する。インダクタＬ２ｂ及び電解コンデンサＣ２ｂは、ＭＯＳ−ＦＥＴＱ２ｂの出力に接続され、出力電圧を出力するとともに、降圧して平滑化する。点灯制御回路１３１ｂは、第二点灯制御信号を制御回路１７から受けて、ＭＯＳ−ＦＥＴＱ２ｂのオン／オフを制御する。ダイオードＤ２ｂは、ＭＯＳ−ＦＥＴＱ２ｂのオフ時、インダクタＬ２ｂが電流を保とうとして発生する起電力に応じた電流を流すためのものである。
【００１６】
ＡＣ検出回路１４は、ダイオードブリッジ１１の高電位側に接続されるダイオードＤ３と、抵抗Ｒ６、Ｒ７を備える。ＡＣ検出回路１４は、ダイオードブリッジ１１が整流した脈流を抵抗Ｒ６、Ｒ７で分圧し、この分圧した分圧電圧を制御回路１７に出力する。
【００１７】
制御電源回路１５は、ＰＷＭ信号変換回路１６、制御回路１７、点灯制御回路１３１ａ、１３１ｂに制御電源Ｖｃｃを供給する。
【００１８】
ＰＷＭ信号変換回路１６は、コントローラ３から入力されるＰＷＭ信号のオンデューティー比に応じた直流電圧を生成し、生成した直流電圧を制御回路１７に出力する。ここで、オンデューティー比とは、図２に示すように、ＰＷＭ信号がオンとなった時から次にオンとなるときまでの時間Ｔ（1周期の時間）に対する、オンからオフとなるまでの時間ｔの比率であり、具体的には、オンデューティー比＝（ｔ／Ｔ）×１００が成り立つ。なお、このオンデューティー比は、ユーザーがコントローラ３を操作することによって、変更される。
【００１９】
制御回路１７は、ＰＷＭ信号変換回路１６の直流電圧に基づいて、点灯制御回路１３１ａに第一点灯制御信号を出力し、点灯制御回路１３１ｂに第二点灯制御信号を出力する。また、制御回路１７は、連続調光モード（第一の動作モード）と色可変モード（第二の動作モード）の２つの動作モードを有しており、この動作モードに応じて第一点灯制御信号と第二点灯制御信号の値を調整する。さらに、制御回路１７は、ＡＣ検出回路１４から出力された分圧電圧に基づいて、電源スイッチ５のオン／オフを判断することができる。すなわち、制御回路１７は分圧電圧が供給されている場合、電源スイッチ５がオンであると判断し、分圧電圧が供給されていない場合に電源スイッチ５がオフであると判断する。制御回路１７の動作モードは、電源スイッチ５のオフ／オンの回数及びオフからオンまでの時間間隔に基づいて切り替えられる。制御回路１７は、例えばマイコンなどが該当する。なお、この制御回路１７は、点灯装置１に入力される交流電源２からの電力が遮断されても、電解コンデンサＣ１の残留電荷により制御電源回路１５が動作し、一定時間動作し続けることができるものとする。さらに、この電源スイッチ５のオン／オフ操作によって動作モードを切り替える動作を以下の説明ではプルレス操作という。
【００２０】
光源ユニット４は、調色及び調光が可能な発光装置である。光源ユニット４は、光源モジュール４ａ及び４ｂからなる。
【００２１】
光源モジュール４ａは、点灯回路１３ａから出力される電流を受けて、電流に応じた光出力で発光する。例えば、光源モジュール４ａは、直列接続された複数のＬＥＤ（Ｌｉｇｈｔ  Ｅｍｉｔｔｉｎｇ  Ｄｉｏｄｅ）からなり、色温度が５０００Ｋの白色である。
【００２２】
光源モジュール４ｂは、点灯回路１３ｂから出力される電流を受けて、電流に応じた光出力で発光する。例えば、光源モジュール４ｂは、直列接続された複数のＬＥＤからなり、発光色が色温度３５００Ｋの白色である。
【００２３】
このように、光源モジュール４ａと４ｂの色温度は互いに異なるので、光源モジュール４ａと４ｂに入力される電流値を調整することによって、光源ユニット４は、全体として調色を実現することができる。なお、光源ユニット４は、光源モジュール４ａ、４ｂに入力される電流値の変化量を等しくすることで調光を実現できる。
【００２４】
なお、実施の形態１に係る点灯装置１の説明において、光源モジュール４ａ及び４ｂは、直列接続される５個のＬＥＤであるものとするが、これに限定されず、任意の個数のＬＥＤを直列にしてもよい。また、光源モジュール４ａ及び４ｂは、ＬＥＤを並列接続したもので構成されてもよい。さらに、光源モジュール４ａの発光色は５０００Ｋの白色、光源モジュール４ｂの発光色は、３５００Ｋの白色としたが、これに限定されず、光源モジュール４ａと光源モジュール４ｂの発光色が互いに異なっていればよい。なお、光源モジュール４ａ、４ｂのＬＥＤの発光色は、５０００Ｋ又は３５００Ｋの白色に限定されず、６０００Ｋなど異なる色温度であってもよいし、赤色、緑色や青色などの単色であってもよい。さらに、光源ユニット４は光源モジュール４ａ及び４ｂの２つの光源モジュールから構成されるものとしたが、これに限られず、２以上の光源モジュールから構成されていればよい。なお、色温度とは、光源の色を数値（Ｋ）で表したものであり、値が小さくなるにつれて赤色に近い色（例えば、電球色）となり、値が大きくなるにつれて青色に近い色（例えば、昼光色）となる。
【００２５】
以下、図３から図１０を用いて、実施の形態１に係る点灯装置の動作について説明する。図３は、実施の形態１の点灯装置の動作フローチャートである。なお、以下の説明において、光源モジュール４ａの色温度は５０００Ｋ、光源モジュール４ｂの色温度は３５００Ｋであるものとする。
【００２６】
開始動作において、点灯装置１の外部にある電源スイッチ５をユーザーが操作することによって、コントローラ３から点灯装置１へ交流電流が供給される。なお、電源スイッチ５は室内の壁に設けられる埋め込み式のスイッチでもよいし、リモコンなどによって操作されるものでもよい。供給された交流電流は、ダイオードブリッジ１１で直流電流に整流され、昇圧チョッパ回路１２へ供給される。
【００２７】
ＳＴ１において、昇圧チョッパ回路１２は、供給された直流電流の電圧を昇圧し、制御電源回路１５、点灯回路１３ａのＭＯＳ−ＦＥＴＱ２ａ、点灯回路１３ｂのＭＯＳ−ＦＥＴＱ２ｂへ出力する。
【００２８】
また、制御電源回路１５は、昇圧チョッパ回路１２から供給された直流電流を受けて、ＰＷＭ信号変換回路１６、制御回路１７、及び点灯制御回路１３１ａ、１３１ｂへ出力する。このように、制御電源回路１５から供給される電力によって、ＰＷＭ信号変換回路１６、制御回路１７、及び点灯制御回路１３１ａ、１３１ｂは動作する。
【００２９】
ＳＴ２において、制御回路１７は、内部のメモリ（図示せず）から現在の光源モジュール４ａ、４ｂの設定値を読み出し、第一点灯制御信号、第二点灯制御信号を出力する。なお、ここでいう設定値とは、ユーザーが光源モジュール４ａ、４ｂを最後に点灯していた時の光源モジュール４ａ、４ｂの光出力を示すものである。なお、この設定値は、調光設定情報又は色可変設定情報からなる。調光設定情報とは、動作モードが連続調光モード時に、ユーザーのコントローラ３の操作によって最後に設定された光源モジュール４ａ、４ｂの光出力を表すものである。また、色可変設定情報とは、色可変モード時に、ユーザーのコントローラ３の操作によって最後に設定された光源モジュール４ａ、４ｂの光出力を表すものである。
【００３０】
点灯制御回路１３１ａは、この第一点灯制御信号に基づいて、ＭＯＳ−ＦＥＴＱ２ａのオン／オフを制御（ＭＯＳ−ＦＥＴ  Ｑ２ａのオンデューティー比を制御）し、昇圧チョッパ回路１２から供給される直流電流の電流値を調整し、調整後の直流電流を光源モジュール４ａに供給する。
【００３１】
さらに、点灯制御回路１３１ｂは、第二点灯制御信号に基づいて、ＭＯＳ−ＦＥＴＱ２ｂを制御（ＭＯＳ−ＦＥＴ  Ｑ２ｂのオンデューティー比を制御）し、昇圧チョッパ回路１２から供給される直流電流の電流値を調整し、調整後の直流電流を光源モジュール４ｂに供給する。光源モジュール４ａ、４ｂは、供給された電流値に対応する光出力で点灯する。
【００３２】
ＳＴ３において、ユーザーは点灯させた光源ユニット４の調光操作を行う。なお、ＳＴ３において、制御回路１７の動作モードは調光モードであるものとする。ユーザーのコントローラ３の操作により、コントローラ３から点灯装置１へＰＷＭ信号が入力される。入力されたＰＷＭ信号は、ＰＷＭ信号変換回路１６でＰＷＭ信号のオンデューティー比に応じた直流電圧に変換され、制御回路１７へ入力される。
【００３３】
ＳＴ４において、制御回路１７は、ＰＷＭ信号のオンデューティー比に応じた直流電圧に応じて、第一点灯制御信号を点灯制御回路１３１ａへ、第二点灯制御回路１３１ｂを点灯制御回路１３１ｂへ出力する。以降、ＳＴ２の点灯制御回路１３１ａ、１３１ｂの動作と同様であるため、説明を省略する。
【００３４】
ここで、連続調光モード時のＰＷＭ信号と光源ユニット４との関係について説明する。なお、図４（ａ）は、実施の形態１に係る光源モジュール４ａにおける連続調光モード時の光出力とＰＷＭ信号との関係を示す図である。図４（ｂ）は、実施の形態１に係る光源モジュール４ｂにおける連続調光モード時の光出力とＰＷＭ信号との関係を示す図である。図４（ｃ）は、実施の形態１に係る光源ユニット４における連続調光モード時の光出力とＰＷＭ信号との関係を示す図である。図４（ａ）及び図４（ｂ）に示すように、制御回路１７が連続調光モードである場合、光源モジュール４ａと光源モジュール４ｂの光出力の変化量は同じである。例えば、ＰＷＭ信号の示すオンデューティー比が９０％であった場合に、光源モジュール４ａ及び４ｂの光出力は、最大値の１０％であるとする。コントローラ３によってオンデューティー比を５％に変化させると、光源モジュール４ａの光出力は５０％となり（図４（ａ））、他方の光源モジュール４ｂの光出力も５０％となる（図４（ｂ））。
【００３５】
このときの光源ユニット４全体の光の変化を図５を用いて説明する。例えば、図５（ａ）は、点灯装置１にオンデューティー比が９０％を示すＰＷＭ信号が入力された例である。図４で説明したように、ＰＷＭ信号のオンデューティー比が９０％である場合、光源モジュール４ａ、４ｂはそれぞれ光出力１０％で点灯する。したがって、図５（ａ）における光源ユニット４全体の光出力（調光度）は２０％となる。また、色温度は光源モジュール４ａと光源モジュール４ｂとがそれぞれ持つ色温度の中間色となる。
【００３６】
一方、オンデューティー比５％のＰＷＭ信号が入力されると（図５（ｂ））、光源モジュール４ａ、４ｂはそれぞれ光出力５０％で点灯する。したがって、図５（ｂ）における光源ユニット４全体の光出力（調光度）は１００％となる（図４（ｃ））。なお、色温度は図５（ａ）の場合と同様に光源モジュール４ａと光源モジュール４ｂとがそれぞれ持つ色温度の中間色である。このようにして、点灯装置１はＰＷＭ信号の値によって光源モジュール４ａ、４ｂの光出力を制御して、調光を実現することができる。
【００３７】
ＳＴ５において、ユーザーは動作モードの切り替え操作を行う。動作モードの切り替えは、電源スイッチ５のプルレス操作によって実現される。例えば、ユーザーが電源スイッチ５をオンの状態からオフ／オン（オフとオンの間隔が２秒以内）を４回繰り返した際に、制御回路１７は動作モードの切り替えを実行する。なお、制御回路１７は、ＡＣ電源検出回路１４から出力される分圧電圧によって、オフ／オンを検出することができる。さらに、制御回路１７は内部のタイマー（図示せず）により、オフ／オンの間隔を検出することができる。
【００３８】
ＳＴ６において、ユーザーは光源ユニット４の調色操作を行う。なお、制御回路１７の動作モードは、ＳＴ５におけるユーザーのプルレス操作によって色可変モードに切り替えられたものとする。ユーザーのコントローラ３の操作により、コントローラ３から点灯装置１へＰＷＭ信号が入力される。入力されたＰＷＭ信号は、ＰＷＭ信号変換回路１６でＰＷＭ信号のオンデューティー比に応じた直流電圧に変換され、制御回路１７へ入力される。
【００３９】
ＳＴ７において、制御回路１７は、ＰＷＭ信号のオンデューティー比に応じた直流電圧に応じて、第一点灯制御信号を点灯制御回路１３１ａへ、第二点灯制御回路１３１ｂを点灯制御回路１３１ｂへ出力する。以降、ＳＴ２及びＳＴ４の点灯制御回路１３１ａ、１３１ｂの動作と同様であるため、説明を省略する。
【００４０】
ここで、色可変モード時のＰＷＭ信号と光源ユニット４との関係について説明する。なお、図６（ａ）は、実施の形態１に係る光源モジュール４ａにおける色可変モード時の光出力とＰＷＭ信号との関係を示す図である。図６（ｂ）は、実施の形態１に係る光源モジュール４ｂにおける色可変モード時の光出力とＰＷＭ信号との関係を示す図である。図６（ｃ）は、実施の形態１に係る光源ユニット４における色可変モード時の光出力とＰＷＭ信号との関係を示す図である。図６（ａ）及び図６（ｂ）に示すように、制御回路１７が色可変モードである場合、制御回路１７は、受けたＰＷＭ信号の示すオンデューティー比が増加すると、光源モジュール４ａの光出力が増加するように第一点灯制御信号を出力する。一方で、制御回路１７は、ＰＷＭ信号の示すオンデューティー比が増加すると、光源モジュール４ｂの光出力が減少するように、第二点灯制御信号を出力する。
【００４１】
例えば、光源ユニット４全体の光出力（調光度）が１００％の場合で、ＰＷＭ信号のオンデューティー比が９０％の場合に光源モジュール４ａの光出力が９０％、光源モジュール４ｂの光出力が１０％であるとする。このとき、ユーザーのコントローラ３の操作によってＰＷＭ信号のオンデューティーを５％に変化させると、光源モジュール４ａの光出力は１０％に減少する（図６（ａ））。一方で、光源モジュール４ｂの光出力は９０％に増加する（図６（ｂ））。
【００４２】
このときの光源ユニット４全体の光の変化を図７を用いて説明する。例えば、図７（ａ）は、点灯装置１にオンデューティー比が９０％のＰＷＭ信号が入力された例である。図６で説明したように、ＰＷＭ信号のオンデューティー比が９０％である場合、光源モジュール４ａは光出力９０％で点灯し、光源モジュール４ｂは光出力１０％で点灯する。したがって、図７（ａ）における光源ユニット４全体の光出力（調光度）は１００％となる。また、色温度は、光源モジュール４ａの色温度５０００Ｋの９０％と光源モジュール４ｂの色温度３５００Ｋの１０％との中間色である。すなわち、この場合の色温度は、より５０００Ｋに近い値となる。
【００４３】
一方、図７（ｂ）のように、オンデューティー比５％のＰＷＭ信号が入力されると、光源モジュール４ａは光出力１０％、光源モジュール４ｂは光出力９０％で点灯する。このとき、光源ユニット４全体の光出力（調光度）は１００％となり、図７（ａ）に示す光源ユニット４全体の光出力（調光度）と同じである。一方、色温度は、光源モジュール４ａの色温度５０００Ｋの１０％と光源モジュール４ｂの色温度３５００Ｋの９０％との中間色である。すなわち、図７（ｂ）における光源ユニット４全体の色温度は図７（ａ）における光源ユニット４の色温度よりもより３５００Ｋに近い値となる。このように、色可変モードではコントローラ３から出力されるＰＷＭ信号のオンデューティー比を変化させることによって、光源ユニット４全体の色温度を変化させることができる。
【００４４】
なお、色可変モードにおいて、ＰＷＭ信号の示すオンデューティー比を減少させた場合に光源モジュール４ａの光出力を減少させ、光源モジュール４ｂの光出力を増加させるものとしたが、光源モジュール４ａの光出力を増加させ、光源モジュール４ｂの光出力を減少させるものとしてもよい。また、光源ユニット４は、光源モジュール４ａの光出力が増加するときに、光源モジュール４ｂの光出力が減少する場合について説明したが、光源モジュール４ａの光出力の増加率と光源モジュール４ｂの光出力の増加率を異なるものとすれば、光源モジュール４ａの光出力の増加に伴って、光源モジュール４ｂの光出力を増加させても、色温度を変化させることができる。さらに、光源モジュール４ａ及び４ｂの光出力の増加率及び減少率は、少なくとも異なっていればよく、本実施の形態で説明した数値には限定されない。なお、図４及び図６の説明において、光源モジュール４ａ及び光源モジュール４ｂのうち一方の光出力が０％となってもよい。この場合、光源モジュール４ａ及び光源モジュール４ｂのうち０％でない方の光源モジュールは、光出力を１００％とすることも可能である。
【００４５】
終了動作において、ユーザーが電源スイッチ５をオフとした場合に、点灯装置１は、交流電源２から供給される電力が絶たれて、光源ユニット４を消灯する。
【００４６】
以上の動作によって、実施の形態１に係る点灯装置１の一連の動作が終了する。
【００４７】
なお、図２の説明におけるＳＴ３の調光動作、ＳＴ６の調色動作の順序はこれに限られず、先に調色動作が実施され、その後動作モードの切り替え動作（ＳＴ５）を経てＳＴ３の調光動作が実施されてもよい。
【００４８】
次に、図８を用いて、ＳＴ５で説明した動作モード切替時の制御回路１７の動作について詳細に説明する。図８は実施の形態１に係る制御回路の動作モード切替時の動作フローチャートである。なお、図８の動作フローチャートの説明において、制御回路１７は、電源制御回路１５から電力が供給された時点で動作を開始するものとする。
【００４９】
ＳＴ５１において、制御回路１７は内部のカウンタ（図示せず）をリセット（ｎ＝０）とする。なお、カウンタの値ｎは、ユーザーによる電源スイッチ５のオフ／オンの間隔が２秒以内で行われた回数を示す。
【００５０】
ＳＴ５２において、制御回路１７は、ＡＣ検出回路１４から出力される分圧電圧に基づいてＡＣ給電の有無を判定する。ＡＣ給電なしと判定された場合に、ＳＴ５３へ進む。すなわち、ユーザーによって電源スイッチ５がオフとされた場合にＳＴ５３へ進む。ＳＴ５３において、ＡＣ給電ありと判定された場合は、ＡＣ給電なしと判定されるまで、ＳＴ５２を繰り返す。
【００５１】
ＳＴ５３において、制御回路１７は、内部のタイマーによってＳＴ５２でＡＣ給電ありと判定されてからのＡＣ給電の停止時間Ｔをカウントする。ここでいうＡＣ給電の出力停止時間Ｔとは、ＳＴ５２でＡＣ給電ありと判断されてから後述するＳＴ５４でＡＣ給電ありと判定されるまでの時間をいう。
【００５２】
ＳＴ５４において、制御回路１７は再度ＡＣ給電の有無を判定する。ＡＣ給電ありと判定された場合はＳＴ５５へ進む。すなわち、ユーザーが電源スイッチ５を再度オンとした場合にＳＴ５４へ進む。
【００５３】
ＳＴ５５において、制御回路１７は、タイマーがカウントした出力停止時間Ｔが２秒以下である場合、ＳＴ５６へ進む。一方、制御回路１７は、タイマーがカウントした出力停止時間Ｔが２秒より大きい場合には、タイマーの出力停止時間Ｔ及びカウンタの値ｎをリセット（ＳＴ５１）してＳＴ５２へ戻る。
【００５４】
ＳＴ５６において、制御回路１７は、カウンタの値に１を加算する（ｎ＝ｎ＋１）。
【００５５】
ＳＴ５７において、制御回路１７は動作モードの切り替え判定を行う。具体的には、制御回路１７は、カウンタの値ｎ＝４となった場合に、動作モードを切り替えると判断し、ＳＴ５８へ進む。ここで、カウンタの値ｎ＝４は、ユーザーによりオフとオンの間隔が２秒以内の間隔で電源スイッチ５が操作され、この操作が４回行われたことを意味する。また、カウンタの値ｎが４に満たない場合は、タイマーの出力停止時間Ｔをリセットし、ＳＴ５２へ戻り、カウンタの値ｎ＝４となるまでＳＴ５２からＳＴ５７を繰り返す。
【００５６】
ＳＴ５８において、制御回路１７は現在の動作モードを判定し、現在の動作モードが連続調光モードである場合はＳＴ５９ａに進み、現在の動作モードが色可変モードである場合にはＳＴ５９ｂへ進む。
【００５７】
ＳＴ５９ａにおいて、制御回路１７は動作モードを色可変モードに切り替えて動作を終了する。
【００５８】
ＳＴ５９ｂにおいて、制御回路１７は動作モードを連続調光モードに切り替えて動作を終了する。
【００５９】
なお、図８において、動作モードを切り替える際に２秒以内の間隔（停止時間Ｔ）でオフ／オンを４回繰り返す例を用いて説明したが、これに限られず、本実施の形態に係る制御回路には、任意の停止時間Ｔとオフ／オンの回数を設定することが可能である。例えば、オフ／オンの間隔が３秒以内でこれを２回行った場合に動作モードを切り替える制御回路１７としたい場合には、ＳＴ５５の停止時間Ｔの条件を３秒以内とし、ＳＴ５７のカウンタの値ｎの条件をｎ＝２とすればよい。
【００６０】
次に、図９を用いて、ＳＴ３で説明した連続調光モード時における制御回路１７の動作について詳細に説明する。なお、図９は実施の形態１に係る制御回路の連続調光モード時の動作フローチャートである。なお、図９の動作フローチャートにおいて、制御回路１７は、動作モードが色可変モードから連続調光モードに切り替えられた時点で動作を開始するものとする。
【００６１】
ＳＴ３１において、制御回路１７は、メモリから色可変設定情報を読み出す。
【００６２】
ＳＴ３２において、制御回路１７は、色可変設定情報に基づいて第一点灯制御信号及び第二点灯制御信号を生成する。また、点灯装置１にコントローラ３からＰＷＭ信号が入力された場合には、色可変設定情報とＰＷＭ信号のオンデューティー比に基づいて、第一点灯制御信号及び第二点灯制御信号を生成する。
【００６３】
ＳＴ３３において、制御回路１７は、生成した第一点灯制御信号を第一点灯制御回路１３１ａへ出力し、第二点灯制御信号を第二点灯制御回路１３１ｂへ出力する。
【００６４】
ＳＴ３４において、制御回路１７は、ユーザーのプルレス操作による動作モードの切り替えの有無を判断し、動作モードの切り替えを行う場合はＳＴ３５へ進む。動作モードの切り替えを行わない場合はＳＴ３２へ戻る。
【００６５】
ＳＴ３５において、制御回路１７は、図８のＳＴ５８及びＳＴ５９ａを実行し、動作モードを色可変モードに切り替える。
【００６６】
ＳＴ３６において、制御回路１７は、ＳＴ３２で点灯装置１に入力されたＰＷＭ信号に応じたオンデューティー比をメモリに保存して動作を終了する。また、ＳＴ３２において、コントローラ３からＰＷＭ信号が入力されていない場合、ＳＴ３１で読み出した色可変設定情報の値を調光設定情報としてメモリに保存する。
【００６７】
次に、図１０を用いて、ＳＴ６で説明した色可変モード時における制御回路１７の動作について詳細に説明する。なお、図１０は実施の形態１に係る制御回路の色可変モード時の動作フローチャートである。なお、図１０の動作フローチャートにおいて、制御回路１７は、動作モードが連続調光モードから色可変モードに切り替えられた時点で動作を開始するものとする。
【００６８】
ＳＴ６１において、制御回路１７は、メモリから調光設定情報を読み出す。この調光設定情報は、図９のＳＴ３６でメモリに保存された情報である。
【００６９】
ＳＴ６２において、制御回路１７は、調光設定情報に基づいて第一点灯制御信号及び第二点灯制御信号を生成する。また、点灯装置１にコントローラ３からＰＷＭ信号が入力された場合には、調光設定情報とＰＷＭ信号のオンデューティー比に基づいて、第一点灯制御信号及び第二点灯制御信号を生成する。
【００７０】
ＳＴ６３、ＳＴ６４は、図９のＳＴ３３、ＳＴ３４と同様の動作であるため、説明を省略する。
【００７１】
ＳＴ６５において、制御回路１７は、図８のＳＴ５８及びＳＴ５９ａを実行し、動作モードを色可変モードに切り替える。
【００７２】
ＳＴ６６において、制御回路１７は、ＳＴ６２で点灯装置１に入力されたＰＷＭ信号に応じたオンデューティー比をメモリに保存して動作を終了する。また、ＳＴ６２において、コントローラ３からＰＷＭ信号が入力されていない場合、ＳＴ３１で読み出した調光設定情報の値を色可変設定情報としてメモリに保存する。
【００７３】
なお、実施の形態１に係る制御回路１７は、連続調光モードと色可変モードとを有することとしたが、これに限られず、少なくとも連続調光モードと色可変モードとを有していればよく、他の動作モードが追加されていてもよい。例えば、段階的に調光する段調光モードを有していてもよい。
【００７４】
このように、実施の形態１に係る点灯装置１は、連続調光モードと色可変モードとを有する制御回路１７を有し、制御回路１７の動作モードを電源スイッチ５のプルレス操作によって切り替える構成としたので、ＰＷＭ信号が入力されるインターフェースを複数系統設けることなく、連続調光と調色を実現することができる。
【符号の説明】
【００７５】
１  点灯装置、２  交流電源、３  コントローラ、４  光源ユニット、４ａ  光源モジュール、４ｂ  光源モジュール、５  電源スイッチ、１２  昇圧チョッパ回路、１３ａ  点灯回路、１３ｂ  点灯回路、１４  ＡＣ検出回路、１５  制御電源回路、１６  ＰＷＭ信号変換回路、１７  制御回路、１８  インターフェース、１２１  ＰＦＣ制御回路、１３１ａ  点灯制御回路、１３１ｂ  点灯制御回路。
【図１】
2015032451.tif 000003
【図２】
2015032451.tif 000004
【図３】
2015032451.tif 000005
【図４】
2015032451.tif 000006
【図５】
2015032451.tif 000007
【図６】
2015032451.tif 000008
【図７】
2015032451.tif 000009
【図８】
2015032451.tif 000010
【図９】
2015032451.tif 000011
【図１０】
2015032451.tif 000012